(57)【要約】ワイヤレス・デバイス（ＵＥ１、ＵＥ２、ＵＥ３）は、ダウンリンク・スロット内で直交周波数分割多重化、ＯＦＤＭ、シンボルを受信すること（５１０）によって探索空間を監視する。ＯＦＤＭシンボルは、制御情報を搬送するように構成されたリソース要素の制御リソース集合、ＣＯＲＥＳＥＴ、（２１０、２２０、２３０）に含まれる。ＣＯＲＥＳＥＴ（２１０、２２０、２３０）は、少なくとも１つの属性に関連付けられる。ワイヤレス・デバイス（ＵＥ１、ＵＥ２、ＵＥ３）は、ＣＯＲＥＳＥＴ（２１０、２２０、２３０）の少なくとも１つの属性のうちの少なくとも１つの第１属性（Ｐ）を識別する（５２０）。そして、ワイヤレス・デバイス（ＵＥ１、ＵＥ２、ＵＥ３）は、ＣＯＲＥＳＥＴ（２１０、２２０、２３０）の識別された少なくとも１つの第１属性（Ｐ）に基づいて、ワイヤレス・デバイス（ＵＥ１、ＵＥ２、ＵＥ３）に関連する制御メッセージについて少なくとも１つの特定の探索空間を監視する。
2020520166.tif 000002
【特許請求の範囲】
【請求項１】
探索空間を監視するための方法であって、前記方法は、ワイヤレス・デバイス（ＵＥ１、ＵＥ２、ＵＥ３）によって実行され、前記方法は、
ダウンリンク・スロット内で直交周波数分割多重化、ＯＦＤＭ、シンボルを受信すること（５１０）であって、前記ＯＦＤＭシンボルは、制御情報を搬送するように構成されたリソース要素の制御リソース集合、ＣＯＲＥＳＥＴ、（２１０、２２０、２３０）に含まれ、前記ＣＯＲＥＳＥＴ（２１０、２２０、２３０）は、少なくとも１つの属性にさらに関連付けられる、ことと、
前記ＣＯＲＥＳＥＴ（２１０、２２０、２３０）の前記少なくとも１つの属性のうちの少なくとも１つの第１属性（Ｐ）を識別すること（５２０）と、
前記ＣＯＲＥＳＥＴ（２１０、２２０、２３０）の前記識別された少なくとも１つの第１属性（Ｐ）に基づいて、前記ワイヤレス・デバイス（ＵＥ１、ＵＥ２、ＵＥ３）に関連する制御メッセージについて少なくとも１つの特定の探索空間を監視すること（５３０）と、
前記ＣＯＲＥＳＥＴ（２１０、２２０、２３０）と前記探索空間とのうちの少なくとも１つに対して前記制御メッセージの位置を確立することと、
前記制御メッセージについて第１位置が確立されるならば、前記ワイヤレス・デバイスについて、第１仮定疑似共同位置と第１ビーム・ペア・リンクとのうちの少なくとも１つを決定することと、
前記制御メッセージについて前記第１位置とは異なる第２位置が確立されるならば、前記ワイヤレス・デバイスについて、第２仮定疑似共同位置と第２ビーム・ペア・リンクとのうちの少なくとも１つを決定することと、を有する方法。
【請求項２】
請求項１に記載の方法であって、監視する探索空間の取りうる集合は、相異なる集約レベルの探索空間を含み、前記方法は、
前記ＣＯＲＥＳＥＴ（２１０、２２０、２３０）の前記識別された第１属性に基づいて、探索空間の前記取りうる集合の特定の部分集合を選択することであって、前記特定の部分集合は、前記ＣＯＲＥＳＥＴ（２１０、２２０、２３０）の前記識別された第１属性に基づく集約レベルの分布で選択される、ことと、
探索空間の前記取りうる集合の前記選択された部分集合を監視することと、を有する方法。
【請求項３】
請求項２又は３に記載の方法であって、前記少なくとも１つの属性は、前記リソース要素のためのトランスポート・ブロック・サイズと変調次数とのうちの少なくとも１つを規定する変調符号化方式テーブルを指定する、方法。
【請求項４】
請求項１に記載の方法であって、監視する探索空間の取りうる集合は、相異なる集約レベルの探索空間を含み、前記方法は、
比較的高い集約レベルの探索空間に対して比較的大きな割合のブラインド検出試行を実行することと、
比較的低い集約レベルの探索空間に対して比較的小さな割合のブラインド検出試行を実行することと、を有する方法。
【請求項５】
請求項１に記載の方法であって、監視する探索空間の集合は、相異なる集約レベルの組成を有し、相異なる集約レベルの前記組成は、前記ＣＯＲＥＳＥＴ（２１０、２２０、２３０）の前記識別された第１属性（Ｐ）を表す、方法。
【請求項６】
請求項１乃至５の何れか１項に記載の方法であって、前記ＣＯＲＥＳＥＴ（２１０、２２０、２３０）の前記少なくとも１つの属性は、少なくとも１つの第１値（Ｐ）又は前記第１値（Ｐ）とは異なる少なくとも１つの第２値を仮定してもよい変数によって表される、方法。
【請求項７】
請求項１乃至６の何れか１項に記載の方法であって、前記ＣＯＲＥＳＥＴ（２１０、２２０、２３０）の前記少なくとも１つの属性は、物理ダウンリンク共有チャネル、ＰＤＳＣＨ、と、物理アップリンク共有チャネル、ＰＵＳＣＨ、とのうちの少なくとも１つの先頭位置及び末尾位置をそれぞれ指定する、方法。
【請求項８】
請求項１乃至７の何れか１項に記載の方法であって、
前記ＣＯＲＥＳＥＴ（２１０、２２０、２３０）と前記探索空間とのうちの少なくとも１つに対して前記制御メッセージの位置を確立することと、
前記制御メッセージの前記確立された位置に基づいて、前記ワイヤレス・デバイス（ＵＥ１、ＵＥ２、ＵＥ３）に関連する前記制御メッセージ内の少なくとも１つのビットフィールドの長さを導出することと、をさらに有する方法。
【請求項９】
請求項８に記載の方法であって、
前記位置がスロットの先頭にあるように確立されるならば、前記制御メッセージ内の前記少なくとも１つのビットフィールドの少なくとも１つの長さを、比較的長くなるように導出することと、
前記位置が前記スロットの先頭にないように確立されるならば、前記制御メッセージ内の前記少なくとも１つのビットフィールドの少なくとも１つの長さを、比較的短くなるように導出することと、を有する方法。
【請求項１０】
請求項１乃至９の何れか１項に記載の方法であって、
前記ＣＯＲＥＳＥＴ（２１０、２２０、２３０）と前記探索空間とのうちの少なくとも１つに対して前記制御メッセージの位置を確立することと、
前記制御メッセージについて第１位置が確立されるならば、物理ダウンリンク共有チャネル、ＰＤＳＣＨ、を第１スロットにスケジューリングすることと、
前記制御メッセージについて前記第１位置とは異なる第２位置が確立されるならば、前記ＰＤＳＣＨを第２スロットにスケジューリングすることと、を有する方法。
【請求項１１】
請求項１乃至１０の何れか１項に記載の方法であって、
前記ＣＯＲＥＳＥＴ（２１０、２２０、２３０）と前記探索空間とのうちの少なくとも１つに対して前記制御メッセージの位置を確立することと、
前記制御メッセージが特定のＣＯＲＥＳＥＴ（２１０、２２０、２３０）及び／又は探索空間内に位置するように確立されるならば、その場合に限り、スケジューリング又はハイブリッド自動再送要求フィードバックのためにコンベンション・ベース許可手順を採用することと、をさらに有する方法。
【請求項１２】
探索空間を監視するためのワイヤレス・デバイス（ＵＥ１、ＵＥ２、ＵＥ３）であって、前記ワイヤレス・デバイスは、処理回路及び通信インタフェースを備え、前記処理回路は、前記ワイヤレス・デバイスに、
ダウンリンク・スロット内で直交周波数分割多重化、ＯＦＤＭ、シンボルを受信することであって、前記ＯＦＤＭシンボルは、制御情報を搬送するように構成されたリソース要素の制御リソース集合、ＣＯＲＥＳＥＴ、（２１０、２２０、２３０）に含まれ、前記ＣＯＲＥＳＥＴ（２１０、２２０、２３０）は、少なくとも１つの属性にさらに関連付けられる、ことと、
前記ＣＯＲＥＳＥＴ（２１０、２２０、２３０）の前記少なくとも１つの属性のうちの少なくとも１つの第１属性（Ｐ）を識別することと、
前記ＣＯＲＥＳＥＴ（２１０、２２０、２３０）の前記識別された少なくとも１つの第１属性（Ｐ）に基づいて、前記ワイヤレス・デバイスに関連する制御メッセージについて少なくとも１つの特定の探索空間を監視することと、
前記ＣＯＲＥＳＥＴ（２１０、２２０、２３０）と前記探索空間とのうちの少なくとも１つに対して前記制御メッセージの位置を確立することと、
前記制御メッセージについて第１位置が確立されるならば、前記ワイヤレス・デバイスについて、第１仮定疑似共同位置と第１ビーム・ペア・リンクとのうちの少なくとも１つを決定することと、
前記制御メッセージについて前記第１位置とは異なる第２位置が確立されるならば、前記ワイヤレス・デバイスについて、第２仮定疑似共同位置と第２ビーム・ペア・リンクとのうちの少なくとも１つを決定することと、を行わせるように構成される、ワイヤレス・デバイス（ＵＥ１、ＵＥ２、ＵＥ３）。
【請求項１３】
探索空間を監視するためのワイヤレス・デバイス（ＵＥ１、ＵＥ２、ＵＥ３）であって、
処理回路と、
通信インタフェースと、
命令を記憶する記憶媒体と、を備え、前記命令は、前記処理回路によって実行された場合に、前記ワイヤレス・デバイスに、
ダウンリンク・スロット内で直交周波数分割多重化、ＯＦＤＭ、シンボルを受信することであって、前記ＯＦＤＭシンボルは、制御情報を搬送するように構成されたリソース要素の制御リソース集合、ＣＯＲＥＳＥＴ、（２１０、２２０、２３０）に含まれ、前記ＣＯＲＥＳＥＴ（２１０、２２０、２３０）は、少なくとも１つの属性にさらに関連付けられる、ことと、
前記ＣＯＲＥＳＥＴ（２１０、２２０、２３０）の前記少なくとも１つの属性のうちの少なくとも１つの第１属性（Ｐ）を識別することと、
前記ＣＯＲＥＳＥＴ（２１０、２２０、２３０）の前記識別された少なくとも１つの第１属性（Ｐ）に基づいて、前記ワイヤレス・デバイスに関連する制御メッセージについて少なくとも１つの特定の探索空間を監視することと、
前記ＣＯＲＥＳＥＴ（２１０、２２０、２３０）と前記探索空間とのうちの少なくとも１つに対して前記制御メッセージの位置を確立することと、
前記制御メッセージについて第１位置が確立されるならば、前記ワイヤレス・デバイスについて、第１仮定疑似共同位置と第１ビーム・ペア・リンクとのうちの少なくとも１つを決定することと、
前記制御メッセージについて前記第１位置とは異なる第２位置が確立されるならば、前記ワイヤレス・デバイスについて、第２仮定疑似共同位置と第２ビーム・ペア・リンクとのうちの少なくとも１つを決定することと、を行わせる、ワイヤレス・デバイス（ＵＥ１、ＵＥ２、ＵＥ３）。
【請求項１４】
探索空間を監視するためのコンピュータ・プログラム（６２０）であって、前記コンピュータ・プログラムはコンピュータ・コードを備え、前記コンピュータ・コードは、ワイヤレス・デバイス（ＵＥ１、ＵＥ２、ＵＥ３）の処理回路上で動作する場合に、前記ワイヤレス・デバイスに、
ダウンリンク・スロット内で直交周波数分割多重化、ＯＦＤＭ、シンボルを受信することであって、前記ＯＦＤＭシンボルは、制御情報を搬送するように構成されたリソース要素の制御リソース集合、ＣＯＲＥＳＥＴ、（２１０、２２０、２３０）に含まれ、前記ＣＯＲＥＳＥＴ（２１０、２２０、２３０）は、少なくとも１つの属性にさらに関連付けられる、ことと、
前記ＣＯＲＥＳＥＴ（２１０、２２０、２３０）の前記少なくとも１つの属性のうちの少なくとも１つの第１属性（Ｐ）を識別することと、
前記ＣＯＲＥＳＥＴ（２１０、２２０、２３０）の前記識別された少なくとも１つの第１属性（Ｐ）に基づいて、前記ワイヤレス・デバイスに関連する制御メッセージについて少なくとも１つの特定の探索空間を監視することと、
前記ＣＯＲＥＳＥＴ（２１０、２２０、２３０）と前記探索空間とのうちの少なくとも１つに対して前記制御メッセージの位置を確立することと、
前記制御メッセージについて第１位置が確立されるならば、前記ワイヤレス・デバイスについて、第１仮定疑似共同位置と第１ビーム・ペア・リンクとのうちの少なくとも１つを決定することと、
前記制御メッセージについて前記第１位置とは異なる第２位置が確立されるならば、前記ワイヤレス・デバイスについて、第２仮定疑似共同位置と第２ビーム・ペア・リンクとのうちの少なくとも１つを決定することと、を行わせる、コンピュータ・プログラム（６２０）。
【請求項１５】
探索空間を監視できるようにするための方法であって、前記方法は、無線アクセス・ネットワーク・ノード（ＢＳ）によって実行され、前記方法は、
ダウンリンク・スロット内で直交周波数分割多重化、ＯＦＤＭ、シンボルを送信することであって、前記ＯＦＤＭシンボルは、制御情報を搬送するように構成されたリソース要素の制御リソース集合、ＣＯＲＥＳＥＴ、（２１０、２２０、２３０）に含まれ、前記ＣＯＲＥＳＥＴ（２１０、２２０、２３０）は、ワイヤレス・デバイス（ＵＥ１、ＵＥ２、ＵＥ３）が前記ワイヤレス・デバイス（ＵＥ１、ＵＥ２、ＵＥ３）に関連する制御メッセージを探索する際に監視する少なくとも１つの特定の探索空間の基礎を形成するように構成された少なくとも１つの属性に関連付けられる、ことを有する、方法。
【請求項１６】
探索空間を監視できるようにするための無線アクセス・ネットワーク・ノード（ＢＳ）であって、前記無線アクセス・ネットワーク・ノードは、処理回路及び通信インタフェースを備え、前記処理回路は、前記無線アクセス・ネットワーク・ノードに、
ダウンリンク・スロット内で直交周波数分割多重化、ＯＦＤＭ、シンボルを送信することであって、前記ＯＦＤＭシンボルは、制御情報を搬送するように構成されたリソース要素の制御リソース集合、ＣＯＲＥＳＥＴ、（２１０、２２０、２３０）に含まれ、前記ＣＯＲＥＳＥＴ（２１０、２２０、２３０）は、ワイヤレス・デバイスが前記ワイヤレス・デバイス（ＵＥ１、ＵＥ２、ＵＥ３）に関連する制御メッセージを探索する際に監視する少なくとも１つの特定の探索空間の基礎を形成するように構成された少なくとも１つの属性に関連付けられる、ことを行わせる、無線アクセス・ネットワーク・ノード（ＢＳ）。
【請求項１７】
探索空間を監視できるようにするための無線アクセス・ネットワーク・ノード（ＢＳ）であって、
処理回路と、
通信インタフェースと、
命令を記憶する記憶媒体と、を備え、前記命令は、前記処理回路によって実行された場合に、前記無線アクセス・ネットワーク・ノード（３００）に、
ダウンリンク・スロット内で直交周波数分割多重化、ＯＦＤＭ、シンボルを送信することであって、前記ＯＦＤＭシンボルは、制御情報を搬送するように構成されたリソース要素の制御リソース集合、ＣＯＲＥＳＥＴ、（２１０、２２０、２３０）に含まれ、前記ＣＯＲＥＳＥＴ（２１０、２２０、２３０）は、ワイヤレス・デバイス（ＵＥ１、ＵＥ２、ＵＥ３）が前記ワイヤレス・デバイス（ＵＥ１、ＵＥ２、ＵＥ３）に関連する制御メッセージを探索する際に監視する少なくとも１つの特定の探索空間の基礎を形成するように構成された少なくとも１つの属性に関連付けられる、ことを有する、無線アクセス・ネットワーク・ノード（ＢＳ）。
【請求項１８】
探索空間を監視できるようにするためのコンピュータ・プログラム（６３０）であって、前記コンピュータ・プログラムはコンピュータ・コードを備え、前記コンピュータ・コードは、無線アクセス・ネットワーク・ノード（ＢＳ）の処理回路上で動作する場合に、前記無線アクセス・ネットワーク・ノードに、
ダウンリンク・スロット内で直交周波数分割多重化、ＯＦＤＭ、シンボルを送信することであって、前記ＯＦＤＭシンボルは、制御情報を搬送するように構成されたリソース要素の制御リソース集合、ＣＯＲＥＳＥＴ、（２１０、２２０、２３０）に含まれ、前記ＣＯＲＥＳＥＴ（２１０、２２０、２３０）は、ワイヤレス・デバイス（ＵＥ１、ＵＥ２、ＵＥ３）が前記ワイヤレス・デバイス（ＵＥ１、ＵＥ２、ＵＥ３）に関連する制御メッセージを探索する際に監視する少なくとも１つの特定の探索空間の基礎を形成するように構成された少なくとも１つの属性に関連付けられる、ことを行わせる、コンピュータ・プログラム（６３０）。
【請求項１９】
探索空間を監視するための方法であって、監視する探索空間の取りうる集合は、相異なる集約レベルの探索空間を含み、前記方法は、ワイヤレス・デバイス（ＵＥ１、ＵＥ２、ＵＥ３）によって実行され、前記方法は、
ダウンリンク・スロット内で直交周波数分割多重化、ＯＦＤＭ、シンボルを受信すること（５１０）であって、前記ＯＦＤＭシンボルは、制御情報を搬送するように構成されたリソース要素の制御リソース集合、ＣＯＲＥＳＥＴ、（２１０、２２０、２３０）に含まれ、前記ＣＯＲＥＳＥＴ（２１０、２２０、２３０）は、少なくとも１つの属性にさらに関連付けられる、ことと、
前記ＣＯＲＥＳＥＴ（２１０、２２０、２３０）の前記少なくとも１つの属性のうちの少なくとも１つの第１属性（Ｐ）を識別すること（５２０）と、
前記ワイヤレス・デバイス（ＵＥ１、ＵＥ２、ＵＥ３）に関連する制御メッセージについて１つの特定の探索空間を監視すること（５３０）であって、前記特定の探索空間は、集約レベルの分布を有し、前記ＣＯＲＥＳＥＴ（２１０、２２０、２３０）の前記識別された少なくとも１つの第１属性（Ｐ）に基づいて選択される、ことと、を有する方法。
【請求項２０】
請求項１９に記載の方法であって、監視する探索空間の取りうる集合は、相異なる集約レベルの探索空間を含み、前記方法は、
比較的高い集約レベルの探索空間に対して比較的大きな割合のブラインド検出試行を実行することと、
比較的低い集約レベルの探索空間に対して比較的小さな割合のブラインド検出試行を実行することと、を有する方法。
【請求項２１】
請求項１９に記載の方法であって、監視する探索空間の集合は、相異なる集約レベルの組成を有し、相異なる集約レベルの前記組成は、前記ＣＯＲＥＳＥＴ（２１０、２２０、２３０）の前記識別された第１属性（Ｐ）を表す、方法。
【請求項２２】
請求項１９乃至２１の何れか１項に記載の方法であって、前記ＣＯＲＥＳＥＴ（２１０、２２０、２３０）の前記少なくとも１つの属性は、少なくとも１つの第１値（Ｐ）又は前記第１値（Ｐ）とは異なる少なくとも１つの第２値を仮定してもよい変数によって表される、方法。
【請求項２３】
請求項１９乃至２２の何れか１項に記載の方法であって、前記ＣＯＲＥＳＥＴ（２１０、２２０、２３０）の前記少なくとも１つの属性は、物理ダウンリンク共有チャネル、ＰＤＳＣＨ、と、物理アップリンク共有チャネル、ＰＵＳＣＨ、とのうちの少なくとも１つの先頭位置及び末尾位置をそれぞれ指定する、方法。
【請求項２４】
請求項１９乃至２３の何れか１項に記載の方法であって、
前記ＣＯＲＥＳＥＴ（２１０、２２０、２３０）と前記探索空間とのうちの少なくとも１つに対して前記制御メッセージの位置を確立することと、
前記制御メッセージの前記確立された位置に基づいて、前記ワイヤレス・デバイス（ＵＥ１、ＵＥ２、ＵＥ３）に関連する前記制御メッセージ内の少なくとも１つのビットフィールドの長さを導出することと、をさらに有する方法。
【請求項２５】
請求項２４に記載の方法であって、
前記位置がスロットの先頭にあるように確立されるならば、前記制御メッセージ内の前記少なくとも１つのビットフィールドの少なくとも１つの長さを、比較的長くなるように導出することと、
前記位置が前記スロットの先頭にないように確立されるならば、前記制御メッセージ内の前記少なくとも１つのビットフィールドの少なくとも１つの長さを、比較的短くなるように導出することと、を有する方法。
【請求項２６】
請求項１９乃至２５の何れか１項に記載の方法であって、
前記ＣＯＲＥＳＥＴ（２１０、２２０、２３０）と前記探索空間とのうちの少なくとも１つに対して前記制御メッセージの位置を確立することと、
前記制御メッセージについて第１位置が確立されるならば、物理ダウンリンク共有チャネル、ＰＤＳＣＨ、を第１スロットにスケジューリングすることと、
前記制御メッセージについて前記第１位置とは異なる第２位置が確立されるならば、前記ＰＤＳＣＨを第２スロットにスケジューリングすることと、を有する方法。
【請求項２７】
請求項１９乃至２６の何れか１項に記載の方法であって、
前記ＣＯＲＥＳＥＴ（２１０、２２０、２３０）と前記探索空間とのうちの少なくとも１つに対して前記制御メッセージの位置を確立することと、
前記制御メッセージについて第１位置が確立されるならば、前記ワイヤレス・デバイスについて、第１仮定疑似共同位置と第１ビーム・ペア・リンクとのうちの少なくとも１つを決定することと、
前記制御メッセージについて前記第１位置とは異なる第２位置が確立されるならば、前記ワイヤレス・デバイスについて、第２仮定疑似共同位置と第２ビーム・ペア・リンクとのうちの少なくとも１つを決定することと、をさらに有する方法。
【請求項２８】
請求項１９乃至２６の何れか１項に記載の方法であって、
前記ＣＯＲＥＳＥＴ（２１０、２２０、２３０）と前記探索空間とのうちの少なくとも１つに対して前記制御メッセージの位置を確立することと、
前記制御メッセージが特定のＣＯＲＥＳＥＴ（２１０、２２０、２３０）及び／又は探索空間内に位置するように確立されるならば、その場合に限り、スケジューリング又はハイブリッド自動再送要求フィードバックのためにコンベンション・ベース許可手順を採用することと、をさらに有する方法。
【請求項２９】
探索空間を監視するためのワイヤレス・デバイス（ＵＥ１、ＵＥ２、ＵＥ３）であって、監視する探索空間の取りうる集合は、相異なる集約レベルの探索空間を含み、前記ワイヤレス・デバイスは、処理回路及び通信インタフェースを備え、前記処理回路は、前記ワイヤレス・デバイスに、
ダウンリンク・スロット内で直交周波数分割多重化、ＯＦＤＭ、シンボルを受信することであって、前記ＯＦＤＭシンボルは、制御情報を搬送するように構成されたリソース要素の制御リソース集合、ＣＯＲＥＳＥＴ、（２１０、２２０、２３０）に含まれ、前記ＣＯＲＥＳＥＴ（２１０、２２０、２３０）は、少なくとも１つの属性にさらに関連付けられる、ことと、
前記ＣＯＲＥＳＥＴ（２１０、２２０、２３０）の前記少なくとも１つの属性のうちの少なくとも１つの第１属性（Ｐ）を識別することと、
前記ワイヤレス・デバイスに関連する制御メッセージについて１つの特定の探索空間を監視することであって、前記特定の探索空間は、集約レベルの分布を有し、前記ＣＯＲＥＳＥＴ（２１０、２２０、２３０）の前記識別された少なくとも１つの第１属性（Ｐ）に基づいて選択される、ことと、を行わせるように構成される、ワイヤレス・デバイス（ＵＥ１、ＵＥ２、ＵＥ３）。
【請求項３０】
探索空間を監視するためのワイヤレス・デバイス（ＵＥ１、ＵＥ２、ＵＥ３）であって、探索空間を監視するための方法であって、監視する探索空間の取りうる集合は、相異なる集約レベルの探索空間を含み、前記ワイヤレス・デバイスは、
処理回路と、
通信インタフェースと、
命令を記憶する記憶媒体と、を備え、前記命令は、前記処理回路によって実行された場合に、前記ワイヤレス・デバイスに、
ダウンリンク・スロット内で直交周波数分割多重化、ＯＦＤＭ、シンボルを受信することであって、前記ＯＦＤＭシンボルは、制御情報を搬送するように構成されたリソース要素の制御リソース集合、ＣＯＲＥＳＥＴ、（２１０、２２０、２３０）に含まれ、前記ＣＯＲＥＳＥＴ（２１０、２２０、２３０）は、少なくとも１つの属性にさらに関連付けられる、ことと、
前記ＣＯＲＥＳＥＴ（２１０、２２０、２３０）の前記少なくとも１つの属性のうちの少なくとも１つの第１属性（Ｐ）を識別することと、
前記ワイヤレス・デバイスに関連する制御メッセージについて少なくとも１つの特定の探索空間を監視することであって、前記特定の探索空間は、集約レベルの分布を有し、前記ＣＯＲＥＳＥＴ（２１０、２２０、２３０）の前記識別された少なくとも１つの第１属性（Ｐ）に基づいて選択される、ことと、を行わせる、ワイヤレス・デバイス（ＵＥ１、ＵＥ２、ＵＥ３）。
【請求項３１】
探索空間を監視するためのコンピュータ・プログラム（６２０）であって、探索空間を監視するための方法であって、監視する探索空間の取りうる集合は、相異なる集約レベルの探索空間を含み、前記コンピュータ・プログラムはコンピュータ・コードを備え、前記コンピュータ・コードは、ワイヤレス・デバイス（ＵＥ１、ＵＥ２、ＵＥ３）の処理回路上で動作する場合に、前記ワイヤレス・デバイスに、
ダウンリンク・スロット内で直交周波数分割多重化、ＯＦＤＭ、シンボルを受信することであって、前記ＯＦＤＭシンボルは、制御情報を搬送するように構成されたリソース要素の制御リソース集合、ＣＯＲＥＳＥＴ、（２１０、２２０、２３０）に含まれ、前記ＣＯＲＥＳＥＴ（２１０、２２０、２３０）は、少なくとも１つの属性にさらに関連付けられる、ことと、
前記ＣＯＲＥＳＥＴ（２１０、２２０、２３０）の前記少なくとも１つの属性のうちの少なくとも１つの第１属性（Ｐ）を識別することと、
前記ワイヤレス・デバイスに関連する制御メッセージについて少なくとも１つの特定の探索空間を監視することであって、前記特定の探索空間は、集約レベルの分布を有し、前記ＣＯＲＥＳＥＴ（２１０、２２０、２３０）の前記識別された少なくとも１つの第１属性（Ｐ）に基づいて選択される、ことと、を行わせる、コンピュータ・プログラム（６２０）。
【請求項３２】
請求項１４、１８及び３１の何れか１項に記載のコンピュータ・プログラム（６２０）を記憶するコンピュータ可読記憶媒体（６４０）を含むコンピュータ・プログラム製品（６００）。
【発明の詳細な説明】
【技術分野】
【０００１】
本書で提示される実施形態は、探索空間を監視するための方法、ワイヤレス・デバイス、無線アクセス・ネットワーク・ノード、コンピュータ・プログラム及びコンピュータ・プログラム製品に関する。
【背景技術】
【０００２】
ニュー・ラジオ（ＮＲ）は、ダウンリンクにおいて直交周波数分割多重（ＯＦＤＭ）を使用する。よって、基本的なＮＲダウンリンク物理リソースを時間‐周波数グリッドと見なすことができ、各リソース要素は、１つのＯＦＤＭシンボル間隔の１つのＯＦＤＭサブキャリアに対応する。ＮＲでは、複数のサブキャリア間隔、例えば１５ｋＨｚ、３０ｋＨｚ又は６０ｋＨｚがサポートされる。
【０００３】
物理ダウンリンク制御チャネル（ＰＤＣＣＨ）は、ＮＲにおいて、ダウンリンク制御情報（ＤＣＩ）のため、例えばダウンリンク・スケジューリング割り当て及びアップリンク・スケジューリング許可のために使用される。ＰＤＣＣＨは一般に、スロットの先頭で送信され、同じスロット又は後のスロット内のデータに関連するが、ユーザ機器（ＵＥ）は原則として、例えばミニ・スロット・ベースの送信を処理するために、スロット当たり１回よりも頻繁にＰＤＣＣＨを監視するように構成されうる。（ＮＲスロットは７個又は１４個のＯＦＤＭシンボルに対応してもよく、１５ｋＨｚのサブキャリア間隔では７個のＯＦＤＭシンボルを有するスロットが０．５ｍｓを占有することが思い起こされる。一般的に、ＮＲ用語に関して、３ＧＰＰ  ＴＲ  ３８．８０２ｖ１４．０．０以降のバージョンを参照されたい。）相異なるＤＣＩペイロード・サイズ及び相異なるアグリゲーション・レベルを処理するために、ＰＤＣＣＨの相異なるフォーマット（サイズ）が可能である（すなわち、所与のペイロード・サイズについて相異なるコード・レート）。ＵＥは、相異なるアグリゲーション・レベル及びＤＣＩペイロード・サイズのうちの複数のＰＤＣＣＨ候補をブラインド監視（又は探索）するように（暗黙的に及び／又は明示的に）構成される。有効なＤＣＩメッセージを検出すると（すなわち、候補の復号が成功であり、ＤＣＩがＵＥの識別子（ＩＤ）を含むことを監視するように指示されると）、ＵＥはＤＣＩに従う（例えば、対応するダウンリンク・データを受信するか、又はアップリンクで送信する）。ブラインド復号プロセスは、ＵＥにおいて複雑さを犠牲にするが、様々なＤＣＩペイロード・サイズの柔軟なスケジューリング及び処理を提供するために必要とされる。
【０００４】
ＤＣＩは、送信又は受信に必要な量をシグナリングするために、無線リソース制御（ＲＲＣ）シグナリングと組み合わせて使用されうる。一例は、ハイブリッド自動再送要求（ＨＡＲＱ）確認応答のような、アップリンクにおけるフィードバック・シグナリングのために使用されるリソースのシグナリングである。アップリンクにおける完了位置を示すことは、過度に大きなＤＣＩオーバヘッドをもたらしうる。その代わりに、２ビットのインデックスをＤＣＩの一部として送信し、テーブルへのインデックスとして使用して、４つの事前構成された（又は事前規定された）エントリのうちの１つを選択できる。
【０００５】
このようにして、ＤＣＩは、送信又は受信に必要な量をシグナリングするために、ＲＲＣシグナリングと組み合わせて使用されうる。一例は、ＨＡＲＱ確認応答のような、アップリンクにおけるフィードバック・シグナリングのために使用されるリソースのシグナリングである。アップリンクにおける完了位置を示すことは、過度に大きなＤＣＩオーバヘッドをもたらしうる。その代わりに、２ビットのインデックスをＤＣＩの一部として送信し、テーブルへのインデックスとして使用して、４つの事前構成された（又は事前規定された）エントリのうちの１つを選択できる。このようにして、ＤＣＩオーバヘッドを小さく保つことができ、同時に、様々なデプロイメント・シナリオ及び動作条件を処理するためのかなりの量の柔軟性を可能にする。原則として、任意の制御情報に対して、すなわち、アップリンクにおいて使用されるＨＡＲＱリソースだけでなく、同じアプローチが使用されうる。図７参照。
【０００６】
ＮＲでは、ＵＥがＰＤＣＣＨ送信を監視できる制御リソース領域をどのように構成するか、及びＵＥが複数の制御リソース領域でどのように構成されうるかについて、現在議論がある。これらの制御領域の一部は、複数のＵＥを対象とする共通制御メッセージを送信するために使用されてもよく、一部は、ＵＥ固有制御メッセージを対象としてもよい。制御領域は、共通制御メッセージ及びＵＥ固有制御メッセージの両方にサービスを提供できる。第３世代パートナーシップ・プロジェクト・ロング・ターム・エボリューション（ＬＴＥ）とのＮＲの１つの違いは、キャリア帯域幅がより大きくなる可能性があり、それゆえ、キャリアの帯域幅全体に及ばない制御領域において見られる利点が存在することである。よって、制御領域が時間及び周波数において制限されることが予期される。
【０００７】
制御領域は一般に、複数のＵＥが領域内でシグナリングされうることを保証するように寸法決めされる必要がある。これを行うために、制御メッセージを探索するために制御領域に割り当てられるＵＥの数が制御領域において利用可能なリソースよりもはるかに多いという統計的多重化原理が使用される。したがって、任意の特定のＵＥがスケジュールされる必要がある場合に、ブロッキング確率を最小化するために統計的多重化が使用されうるように、様々なＵＥのための探索空間がランダム化される。したがって、制御領域は、複数のＵＥがＰＤＣＣＨを同時にシグナリングすることを可能にするように寸法決めされることが予期されうる。さらに、制御領域を監視するために割り当てられているＵＥの数は、同時にシグナリングされうるＵＥの数よりも多いことが予期されうる。
【０００８】
以下において、ＣＯＲＥＳＥＴとは、ＵＥに構成されている制御リソース集合のことである。ＣＯＲＥＳＥＴは、周波数における物理リソースブロック（ＰＲＢ）と、時間におけるＯＦＤＭシンボルとの集合にわたるリソース要素（Ｒｅｓ）の集合である。ＵＥは、１つ以上のＰＤＣＣＨの潜在的な受信について１つ以上のＣＯＲＥＳＥＴを監視するように構成されてもよい。１つのＵＥ又は様々なＵＥのためのＣＯＲＥＳＥＴは、原則として（部分的に）重畳しうる。簡単にするために、図２では、ＣＯＲＥＳＥＴが部分的に重畳していないと仮定する。
【０００９】
１つ以上の探索空間を使用するＣＯＲＥＳＥＴブラインド復号によって規定されたリソースを使用して、存在するならば、有効なＰＤＣＣＨの検出が実行されうる（図２を参照）。ＣＯＲＥＳＥＴ内の複数のリソースは、制御チャネル要素（ＣＣＥ）を形成する。ＵＥは、これらのＣＣＥのうちの１つ以上を使用してＰＤＣＣＨをブラインド復号することを試みる。典型的に、相異なる探索空間が相異なる集約レベルを使用し、ここで、集約レベルとは、ＰＤＣＣＨ候補によって使用されるＣＣＥの数のことである。例えば、集約レベル１上の探索空間は単一のＣＣＥからなるＰＤＣＣＨ候補を監視し、集約レベル２上の探索空間は、ＣＣＥのペアからなるＰＤＣＣＨ候補を監視する。各探索空間においてＰＤＣＣＨ候補を構成するＣＣＥ（又はＣＣＥの集合）がどれであるかをルールが決定する。ルールは、（例えば、ネットワーク標準仕様を介して）送信者間で事前に合意されてもよく、又はシグナリングによって事前に示されてもよい。
【００１０】
しかし、動的に搬送される制御情報の量を増加させることは、オーバヘッドの増加をもたらすので、問題である。実装に応じて、全シグナリング・オーバヘッドは、ＤＣＩペイロードの増加に敏感でありうる。オーバヘッドの増加は線形でありうる。したがって、ＤＣＩを効率的に搬送することが望ましい。
【発明の概要】
【００１１】
したがって、本開示の目的は上記の問題を軽減し、改善された効率の探索空間監視を提供することである。
【００１２】
本開示によれば、ＣＯＲＥＳＥＴは、探索空間におけるブラインド検出の処理に影響を及ぼしうる特定の属性に関連付けられる。
【００１３】
特に、本開示の１つの側面によれば、ワイヤレス・デバイスによって実行される方法は、ダウンリンク・スロット内で直交周波数分割多重化、ＯＦＤＭ、シンボルを受信することであって、ＯＦＤＭシンボルは、制御情報を搬送するように構成されたリソース要素の制御リソース集合、ＣＯＲＥＳＥＴ、に含まれ、ＣＯＲＥＳＥＴは、少なくとも１つの属性にさらに関連付けられる、ことと、ＣＯＲＥＳＥＴの少なくとも１つの属性のうちの少なくとも１つの第１属性を識別することと、ＣＯＲＥＳＥＴの識別された少なくとも１つの第１属性に基づいて、ワイヤレス・デバイスに関連する制御メッセージについて少なくとも１つの特定の探索空間を監視することと、ＣＯＲＥＳＥＴと探索空間とのうちの少なくとも１つに対して制御メッセージの位置を確立することと、制御メッセージについて第１位置が確立されるならば、ワイヤレス・デバイスについて、第１仮定疑似共同位置と第１ビーム・ペア・リンクとのうちの少なくとも１つを決定することと、制御メッセージについて第１位置とは異なる第２位置が確立されるならば、ワイヤレス・デバイスについて、第２仮定疑似共同位置と第２ビーム・ペア・リンクとのうちの少なくとも１つを決定することと、を有する。
【００１４】
本開示の別の態様によれば、探索空間を監視するための方法は、ワイヤレス・デバイスによって同様に実行される。ここで、監視すべき探索空間の潜在的な集合は、相異なる集約レベルの探索空間を含み、方法はダウンリンク・スロットにおいてＯＦＤＭシンボルを受信することであって、ＯＦＤＭシンボルは、制御情報を搬送するように構成されたリソース要素のＣＯＲＥＳＥＴに含まれ、ＣＯＲＥＳＥＴは、少なくとも１つの属性にさらに関連付けられる、ことと、ＣＯＲＥＳＥＴの少なくとも１つの属性のうちの少なくとも１つの第１属性を識別することと、ワイヤレス・デバイスに関連する制御メッセージについて１つの特定の探索空間を監視することとを含み、特定の探索空間は、集約レベルの分布を有し、ＣＯＲＥＳＥＴの識別された少なくとも１つの第１属性に基づいて選択される。
【００１５】
上記の戦略は、ダウンリンク制御シグナリング・オーバヘッドを低減するので有利である。ブラインド検出の管理もより効率的になる。
【００１６】
さらなる利点、有益な特徴及び応用は、以下の説明及び従属請求項から明らかになるだろう。
【図面の簡単な説明】
【００１７】
ここで、提案されるソリューションは、例として開示される好ましい実施形態によって、添付の図面に関連して、より詳細に説明される。
【図１】本開示の実施形態による通信ネットワークを概略的に説明する。
【図２】本開示の１つの実施形態によるサブフレーム構造を説明する。
【図３】本開示の１つの実施形態により、検索空間がどのように監視されるかを説明する。
【図４】本開示の１つの実施形態により、ダウンリンク制御情報に関連するパラメータがどのように導出されうるかを説明する。
【図５】フロー図によって、本開示の１つの実施形態による方法を説明する。
【図６】本開示の実施形態による、コンピュータ可読媒体を含むコンピュータ・プログラム製品の概略例を示す。
【図７】パラメータ値の動的及び準静的シグナリングの組み合わせを記載する。
【図８】本開示の１つの実施形態により、パラメータがどのように導出されうるかを説明する。
【発明を実施するための形態】
【００１８】
本開示は、各ＣＯＲＥＳＥＴが１つ以上の属性に関連付けられるべきであることを提案する。これに換えて又はこれに加えて、第１ＣＯＲＥＳＥＴの属性は、第２ＣＯＲＥＳＥＴの対応する属性とは特徴的に異なる。特に、第１ＣＯＲＥＳＥＴはパラメータ又は変数の第１値に関連付けられてもよく、第２ＣＯＲＥＳＥＴは同じパラメータ又は変数の第２値に関連付けられてもよく、第１値と第２値とは特徴的に異なる。第１又は第２ＣＯＲＥＳＥＴを復号しようと試みるＵＥは、パラメータ又は変数の値を突き止め、それに応じて自身の挙動を選定できる。ＵＥは、ＣＯＲＥＳＥＴの属性によって示されるように、異なるＣＯＲＥＳＥＴを復号するならば、異なるように挙動できる。ＵＥの挙動は、ＣＯＲＥＳＥＴ復号そのもの、又は無線動作タスクのような動作タスクに関係してもよい。当該特性は、多くの方法で使用されうる。
【００１９】
１つの実施形態で、ＣＯＲＥＳＥＴの属性は、当該ＣＯＲＥＳＥＴ内のＰＤＣＣＨ候補のブラインド復号に影響を及ぼす。例えば、１つのＣＯＲＥＳＥＴに対して、別のＣＯＲＥＳＥＴよりも多くのブラインド復号試行が費やされうる。別の可能性は、ブラインド復号を、様々なＣＯＲＥＳＥＴ内の探索空間にわたって分布させることである。例えば、１つのＣＯＲＥＳＥＴでは、低い集約レベルよりも多くのブラインド復号が高い集約レベルに費やされ、別のＣＯＲＥＳＥＴでは、分布が異なりうる。この例で、複数のユーザに到達することが意図されるこのようなブロードキャスト制御情報が送信されるＣＯＲＥＳＥＴを使用して探索空間上で高い集約レベルにより多くのブラインド復号試行を費やすことは意味がありえるが、専用スケジューリング制御情報が送信されるＣＯＲＥＳＥＴでは低い集約レベルにより多くのブラインド復号試行を使用するインセンティブがあってもよい。
【００２０】
別の実施形態で、所与のＣＯＲＥＳＥＴにおいて実行されるブラインド復号の数は、ＵＥが構成されるすべてのＣＯＲＥＳＥＴにおけるＣＣＥの総数に対する当該ＣＯＲＥＳＥＴにおけるＣＣＥの数の比率に比例して決定されてもよい。この実施形態の別の変形例で、このアプローチが、固定数のブラインド復号試行を有する共通の探索空間を搬送するＣＯＲＥＳＥＴを有するすべてのＵＥ固有のＣＯＲＥＳＥＴにわたってのみ使用されてもよい。
【００２１】
ＣＯＲＥＳＥＴの属性（及び／又は探索空間の属性）のいくつかを使用する別の方法は、ダウンリンク制御情報の一部を搬送するために利用することであり、ＰＤＣＣＨが見つけられるＣＯＲＥＳＥＴは、制御情報の一部を搬送するためにも使用されうる。ＤＣＩを含む有効なＰＤＣＣＨを検出すると、ＵＥは以下を知る。
・どの探索空間でＰＤＣＣＨが検出されたか。及び／又は
・（少なくともＣＯＲＥＳＥＴが重畳していないならば）どのＣＯＲＥＳＥＴでＰＤＣＣＨが検出されたか。
【００２２】
この情報は（図４に示されるように）直接的に、又は（図８に示されるように）間接的に、ダウンリンク制御情報をＵＥに搬送するために使用されうる。図８のテーブルは、例えばＲＲＣ又はＭＡＣシグナリングを介して、事前規定されるか、又は（準静的に）構成されうる。
【００２３】
これに換えて又はこれに加えて、この情報の変動性は、ＵＥに様々な方法でＤＣＩを解釈させる。言い換えれば、ＤＣＩにおけるシグナリングの基本的な意味は、特定の属性に関連付けられたＣＯＲＥＳＥＴにおいてＤＣＩが受信されるならば、さらなる意味で上書きされてもよい。
【００２４】
探索空間及び／又はＣＯＲＥＳＥＴを介して間接的にダウンリンク制御情報の一部を提供する一般的なアプローチは、複数の方法で使用されうる。
【００２５】
探索空間は、どの変調符号化方式（ＭＣＳ）テーブルを使用するかに影響を及ぼしうる。高い集約レベル（例えば、８ＣＣＥ）を有する探索空間は、カバレッジ制限シナリオ（したがって、データレートが低い）においてデータをスケジューリングする際に主に有用であり、一方、低い集約レベル（例えば、単一ＣＣＥ）は、カバレッジ問題が少ない（それゆえ、データレートが高い）場合に主に有用である。これは、トランスポート・ブロック・サイズ及び変調次数について２つの異なるテーブルの間で選択するために使用されうる。高い集約レベルの場合のための低いデータレート／小さいトランスポート・ブロック・サイズをサポートするテーブルと、低い集約レベルの場合のための高いデータレート／大きいトランスポート・ブロック・サイズをサポートするテーブル。テーブル選択はまた、ＰＤＣＣＨが共通の探索空間において検出されたか又はＵＥ固有の探索空間において検出されたかに基づくことができ、共通の探索空間は、ブロードキャストされた同じ情報を受信する多くのユーザに対処するために使用され、この場合、データレートはＵＥ固有の探索空間と比較して低い。
【００２６】
別の実施形態は、物理ダウンリンク共有チャネル（ＰＤＳＣＨ）又は物理アップリンク共有チャネル（ＰＵＳＣＨ）の先頭ポジショニング及び末尾ポジショニングを与えるビットフィールド内のビットの意味の構成であり、ＵＥがＤＣＩメッセージを検出するどのＣＯＲＥＳＥＴ又は探索空間に依存しうる（又は、少なくともいくつかの値がビットフィールド全体と比較してビットフィールド内で異なってもよい）。
【００２７】
別の実施形態は、ＣＯＲＥＳＥＴの位置に基づくＤＣＩメッセージ内のビットフィールドの長さの構成である。ＣＯＲＥＳＥＴが時間内のスロットの先頭にないならば、ビットフィールドのうちの少なくともいくつかは、ＣＯＲＥＳＥＴがスロットの先頭にある場合よりも、ＰＤＳＣＨ／ＰＵＳＣＨのインジケーションのために短い長さを有してもよい。
【００２８】
別の実施形態で、クロス・スロット・スケジューリングは、ＤＣＩメッセージが位置するＣＯＲＥＳＥＴ／探索空間に基づく。ＤＣＩメッセージが何らかのＣＯＲＥＳＥＴに位置するならば、ＰＤＳＣＨは同じスロットにスケジュールされ、別のＣＯＲＥＳＥＴであるならば、ＰＤＳＣＨは、ＤＣＩが位置するスロットに先行する後続のスロットに入る。ＣＯＲＥＳＥＴのこの属性は、ＣＯＲＥＳＥＴのＲＲＣ構成の一部として規定されうる。
【００２９】
別の実施形態で、ＵＥが行うＱＣＬ仮定又はビーム・ペア・リンク仮定は、ＤＣＩメッセージが位置するＣＯＲＥＳＥＴ／探索空間に応じて異なる。
【００３０】
別の実施形態で、ＤＣＩメッセージが所与の探索空間又はＣＯＲＥＳＥＴ内に位置するならば、ＵＥは、スケジューリング又はＨＡＲＱフィードバックのいずれかのために、コンベンション・ベース許可（ＣＢＧ）ベースの情報を使用する。
【００３１】
図１は、本開示の１つの実施形態による通信ネットワークを概略的に示す。ここで、例えば、ＮＲ基地局又はｇＮＢ（次世代ノードＢ）を実装する無線アクセス・ネットワーク・ノードＢＳは、探索空間の監視を可能にするように構成される。無線アクセス・ネットワーク・ノードＢＳは、無線基地局ネットワーク１３０に通信可能に接続され、無線基地局ネットワーク１３０は一般ネットワーク１４０にさらに接続されてもよい。いずれの場合も、無線アクセス・ネットワーク・ノードＢＳは、処理回路及び通信インタフェースを含む。続いて、処理回路は、無線アクセス・ネットワーク・ノードＢＳに、ダウンリンク・スロットにおいてＯＦＤＭシンボルを送信させるように構成される。ＯＦＤＭシンボルは、制御リソース集合、ＣＯＲＥＳＥＴに含まれる。図２で、参照番号２１０、２２０及び２３０は、サブフレーム構造内のこのようなリソース要素を例示し、このリソース要素は制御情報を搬送するように構成される。ＣＯＲＥＳＥＴは、ワイヤレス・デバイスに関連する制御メッセージを探索する際に、ワイヤレス・デバイスが監視する少なくとも１つの特定の探索空間の基礎を形成するように構成された少なくとも１つの属性に関連付けられる。図１は、ＵＥ１、ＵＥ２及びＵＥ３の形態のこのようなワイヤレス・デバイスをそれぞれ示し、これらは、例えば、携帯電話、ハンドセット、端末などによって表されてもよい。
【００３２】
図３は、本開示の１つの実施形態により、どのように探索空間が監視されるかを説明する。より正確には、ＣＯＲＥＳＥＴによって規定されたリソースを使用して、任意の有効なＰＤＣＣＨを検出するために１つ以上の探索空間においてブラインド復号が適用される。
【００３３】
ここで、ＣＯＲＥＳＥＴ２１０内の複数のリソースが、制御チャネル要素ＣＣＥを形成するものとする。ワイヤレス・デバイスは、これらのＣＣＥ、ＣＣＥ０、…、ＣＣＥＮ−１の１つ以上を用いてＰＤＣＣＨをブラインド復号しようとするように制御される。典型的に、異なる探索空間が異なる集約レベルを使用する。集約レベルは、ＰＤＣＣＨ候補によって使用されるＣＣＥの数である。例えば、第１集約レベルでは、ＰＤＣＣＨ候補を監視する探索空間が単一のＣＣＥを含んでもよい。第２集約レベルでは、その代わりに、ＰＤＣＣＨ候補を監視する探索空間が、探索空間ＭまでのＣＣＥのペアなどを含んでもよく、各探索空間においてＰＤＣＣＨ候補を構成するＣＣＥ又はＣＣＥの集合は、ワイヤレス・デバイスによって知られているルールによって与えられる。図３で、これはＲＥＧからＣＣＥへのマッピングによって説明される。
【００３４】
ここで、ワイヤレス・デバイス内の探索空間を監視するための本開示の１つの実施形態による方法を説明するために、図５のフロー図を参照する。
【００３５】
ここで、第１ステップ５１０において、ＯＦＤＭシンボルがダウンリンク・スロットで受信される。ＯＦＤＭシンボルは、制御情報を搬送するように構成されたリソース要素のＣＯＲＥＳＥＴに含まれる。さらに、ＣＯＲＥＳＥＴは少なくとも１つの属性に関連付けられると仮定する。
【００３６】
後続のステップ５２０で、ＣＯＲＥＳＥＴの少なくとも１つの属性の少なくとも１つの第１属性が識別される。
【００３７】
その後、ステップ５３０で、ワイヤレス・デバイスに関連する制御メッセージについて、少なくとも１つの特定の探索空間が監視される。監視は、ステップ５２０で識別されたＣＯＲＥＳＥＴの少なくとも１つの第１属性に基づく。
【００３８】
本開示の１つの側面によれば、制御メッセージの位置は、ＣＯＲＥＳＥＴ及び／又は探索空間に関して確立される。この側面によれば、制御メッセージについて第１位置が確立されるならば、ワイヤレス・デバイスについて第１仮定疑似共同位置（quasi-co-location）及び／又は第１ビーム・ペア・リンクも決定される。
【００３９】
さらに、本方法は、制御メッセージについて第１位置とは異なる第２位置が確立されるならば、ワイヤレス・デバイスについて第２仮定疑似共同位置及び／又は第２ビーム・ペア・リンクを決定することを含む。
【００４０】
図５のプロセス・ステップの全ては、少なくとも１つのプログラムされたプロセッサによって制御されてもよい。さらに、図面を参照して上述した本開示の実施形態は、プロセッサ及び少なくとも１つのプロセッサにおいて実行されるプロセスを含むが、よって、本開示は、本開示を実施するように適合されたコンピュータ・プログラム、特にキャリア上又はキャリア内のコンピュータ・プログラムにも及ぶ。プログラムは、ソース・コード、オブジェクト・コード、部分的にコンパイルされた形態のようなコード中間ソース及びオブジェクト・コードの形態、又は本開示によるプロセスの実施に使用するのに適した任意の他の形態であってもよい。プログラムは、オペレーティング・システムの一部であってもよいし、別個のアプリケーションであってもよい。キャリアは、プログラムを搬送できる任意のエンティティ又はデバイスであってもよい。例えば、キャリアは、フラッシュ・メモリ、ＲＯＭ（リード・オンリ・メモリ）、例えばＤＶＤ（デジタル・ビデオ／多用途ディスク）、ＣＤ（コンパクト・ディスク）又は半導体ＲＯＭ、ＥＰＲＯＭ（消去可能プログラマブル・リード・オンリ・メモリ）、ＥＥＰＲＯＭ（電気的消去可能プログラマブル・リード・オンリ・メモリ）又は磁気記録媒体、例えばフロッピー（登録商標）ディスク又はハードディスクなどの記憶媒体を含んでもよい。さらに、キャリアは、電気又は光ケーブルを介して、又は無線によって、又は他の手段によって搬送されうる、電気又は光信号などの伝送可能なキャリアであってもよい。ケーブル又は他のデバイス又は手段によって直接搬送されうる信号でプログラムが実施される場合に、キャリアは、そのようなケーブル、デバイス又は手段によって構成されてもよい。これにかえて、キャリアは、プログラムが埋め込まれた集積回路であってもよく、集積回路は、関連するプロセスを実行するために又は関連するプロセスの実行に使用するために適合される。
【００４１】
図６は、少なくとも１つのプロセッサで実行された場合に、提案された方法を実行するように構成されたコンピュータ・プログラム６２０を含む、例えばＣＤ  ＲＯＭ（コンパクト・ディスク・リード・オンリ・メモリ）又はＤＶＤ（デジタル多用途ディスク）などのコンピュータ可読記憶媒体６４０の形態のコンピュータ・プログラム製品６００の概略例を示す。
【００４２】
この明細書で使用される場合に、「備える／備える」との用語は、記載された特徴、整数、ステップ又は構成要素の存在を指定するために採用される。しかし、この用語は、１つ以上の追加の特徴、整数、ステップ若しくは構成要素又はこれらのグループの存在又は追加を排除するものではない。
【００４３】
本開示は、図面に記載された実施形態に限定されず、特許請求の範囲内で自由に変更されてもよい。
【図１】
2020520166.tif 000003
【図２】
2020520166.tif 000004
【図３】
2020520166.tif 000005
【図４】
2020520166.tif 000006
【図５】
2020520166.tif 000007
【図６】
2020520166.tif 000008
【図７】
2020520166.tif 000009
【図８】
2020520166.tif 000010
【手続補正書】
【提出日】平成30年11月21日(2018.11.21)
【手続補正１】
【補正対象書類名】特許請求の範囲
【補正対象項目名】全文
【補正方法】変更
【補正の内容】
【特許請求の範囲】
【請求項１】
ワイヤレス・デバイス（ＵＥ１、ＵＥ２、ＵＥ３）によって実行される方法であって、
ダウンリンク・スロット内で直交周波数分割多重化、ＯＦＤＭ、シンボルを受信すること（５１０）であって、前記ＯＦＤＭシンボルは、制御情報を搬送するように構成されたリソース要素の制御リソース集合、ＣＯＲＥＳＥＴ、（２１０、２２０、２３０）に含まれ、前記ＣＯＲＥＳＥＴ（２１０、２２０、２３０）は、前記ＣＯＲＥＳＥＴにおけるブラインド検出に影響する少なくとも１つの属性を有する、ことと、
前記ＣＯＲＥＳＥＴ（２１０、２２０、２３０）の前記少なくとも１つの属性のうちの少なくとも１つの第１属性（Ｐ）を識別すること（５２０）と、
前記識別された少なくとも１つの第１属性（Ｐ）に基づいて、前記ワイヤレス・デバイス（ＵＥ１、ＵＥ２、ＵＥ３）に関連する制御メッセージを検出するために少なくとも１つの特定の探索空間を監視すること（５３０）と、
制御メッセージが検出された場合に、前記ＣＯＲＥＳＥＴ（２１０、２２０、２３０）と前記少なくとも１つの特定の探索空間とのうちの少なくとも１つに対して前記制御メッセージの位置を確立することと、
前記制御メッセージについて第１位置が確立された場合に、前記制御メッセージについて確立された前記第１位置に基づいて、前記ワイヤレス・デバイスについて、第１仮定疑似共同位置と第１ビーム・ペア・リンクとのうちの少なくとも１つを決定することと、
前記制御メッセージについて前記第１位置とは異なる第２位置が確立された場合に、前記制御メッセージについて確立された前記第２位置に基づいて、前記ワイヤレス・デバイスについて、第２仮定疑似共同位置と第２ビーム・ペア・リンクとのうちの少なくとも１つを決定することと、を有する方法。
【請求項２】
請求項１に記載の方法であって、監視する探索空間の取りうる集合は、相異なる集約レベルの探索空間を含み、前記方法は、
前記ＣＯＲＥＳＥＴ（２１０、２２０、２３０）の前記識別された第１属性に基づいて、探索空間の前記取りうる集合の特定の部分集合を選択することであって、前記特定の部分集合は、前記ＣＯＲＥＳＥＴ（２１０、２２０、２３０）の前記識別された第１属性に基づく集約レベルの分布で選択される、ことと、
探索空間の前記取りうる集合の前記選択された部分集合を監視することと、を有する方法。
【請求項３】
請求項２又は３に記載の方法であって、前記少なくとも１つの属性は、前記リソース要素のためのトランスポート・ブロック・サイズと変調次数とのうちの少なくとも１つを規定する変調符号化方式テーブルを指定する、方法。
【請求項４】
請求項１に記載の方法であって、監視する探索空間の取りうる集合は、相異なる集約レベルの探索空間を含み、前記方法は、
比較的高い集約レベルの探索空間に対して比較的大きな割合のブラインド検出試行を実行することと、
比較的低い集約レベルの探索空間に対して比較的小さな割合のブラインド検出試行を実行することと、を有する方法。
【請求項５】
請求項１に記載の方法であって、監視する探索空間の集合は、相異なる集約レベルの組成を有し、相異なる集約レベルの前記組成は、前記ＣＯＲＥＳＥＴ（２１０、２２０、２３０）の前記識別された第１属性（Ｐ）を表す、方法。
【請求項６】
請求項１乃至５の何れか１項に記載の方法であって、前記ＣＯＲＥＳＥＴ（２１０、２２０、２３０）の前記少なくとも１つの属性は、少なくとも１つの第１値（Ｐ）又は前記第１値（Ｐ）とは異なる少なくとも１つの第２値を仮定してもよい変数によって表される、方法。
【請求項７】
請求項１乃至６の何れか１項に記載の方法であって、前記ＣＯＲＥＳＥＴ（２１０、２２０、２３０）の前記少なくとも１つの属性は、物理ダウンリンク共有チャネル、ＰＤＳＣＨ、と、物理アップリンク共有チャネル、ＰＵＳＣＨ、とのうちの少なくとも１つの先頭位置及び末尾位置をそれぞれ指定する、方法。
【請求項８】
請求項１乃至７の何れか１項に記載の方法であって、
前記制御メッセージの前記確立された位置に基づいて、前記ワイヤレス・デバイス（ＵＥ１、ＵＥ２、ＵＥ３）に関連する前記制御メッセージ内の少なくとも１つのビットフィールドの長さを導出することと、をさらに有する方法。
【請求項９】
請求項８に記載の方法であって、
前記位置がスロットの先頭にあるように確立されるならば、前記制御メッセージ内の前記少なくとも１つのビットフィールドの少なくとも１つの長さを、比較的長くなるように導出することと、
前記位置が前記スロットの先頭にないように確立されるならば、前記制御メッセージ内の前記少なくとも１つのビットフィールドの少なくとも１つの長さを、比較的短くなるように導出することと、を有する方法。
【請求項１０】
請求項１乃至９の何れか１項に記載の方法であって、
前記制御メッセージについて前記第１位置が確立された場合に、物理ダウンリンク共有チャネル、ＰＤＳＣＨ、を第１スロットにスケジューリングすることと、
前記制御メッセージについて前記第２位置が確立された場合に、前記ＰＤＳＣＨを第２スロットにスケジューリングすることと、を有する方法。
【請求項１１】
請求項１乃至１０の何れか１項に記載の方法であって、
前記制御メッセージが特定のＣＯＲＥＳＥＴ（２１０、２２０、２３０）及び／又は探索空間内に位置するように確立されるならば、その場合に限り、スケジューリング又はハイブリッド自動再送要求フィードバックのためにコンベンション・ベース許可手順を採用することと、をさらに有する方法。
【請求項１２】
処理回路及び通信インタフェースを備えるワイヤレス・デバイス（ＵＥ１、ＵＥ２、ＵＥ３）であって、前記処理回路は、前記ワイヤレス・デバイスに、
ダウンリンク・スロット内で直交周波数分割多重化、ＯＦＤＭ、シンボルを受信することであって、前記ＯＦＤＭシンボルは、制御情報を搬送するように構成されたリソース要素の制御リソース集合、ＣＯＲＥＳＥＴ、（２１０、２２０、２３０）に含まれ、前記ＣＯＲＥＳＥＴ（２１０、２２０、２３０）は、前記ＣＯＲＥＳＥＴにおけるブラインド検出に影響する少なくとも１つの属性を有する、ことと、
前記ＣＯＲＥＳＥＴ（２１０、２２０、２３０）の前記少なくとも１つの属性のうちの少なくとも１つの第１属性（Ｐ）を識別することと、
前記識別された少なくとも１つの第１属性（Ｐ）に基づいて、前記ワイヤレス・デバイス（ＵＥ１、ＵＥ２、ＵＥ３）に関連する制御メッセージを検出するために少なくとも１つの特定の探索空間を監視することと、
制御メッセージが検出された場合に、前記ＣＯＲＥＳＥＴ（２１０、２２０、２３０）と前記少なくとも１つの特定の探索空間とのうちの少なくとも１つに対して前記制御メッセージの位置を確立することと、
前記制御メッセージについて第１位置が確立された場合に、前記制御メッセージについて確立された前記第１位置に基づいて、前記ワイヤレス・デバイスについて、第１仮定疑似共同位置と第１ビーム・ペア・リンクとのうちの少なくとも１つを決定することと、
前記制御メッセージについて前記第１位置とは異なる第２位置が確立された場合に、前記制御メッセージについて確立された前記第２位置に基づいて、前記ワイヤレス・デバイスについて、第２仮定疑似共同位置と第２ビーム・ペア・リンクとのうちの少なくとも１つを決定することと、を行わせるように構成される、ワイヤレス・デバイス（ＵＥ１、ＵＥ２、ＵＥ３）。
【請求項１３】
探索空間を監視できるようにするための方法であって、前記方法は、無線アクセス・ネットワーク・ノード（ＢＳ）によって実行され、前記方法は、
ダウンリンク・スロット内で直交周波数分割多重化、ＯＦＤＭ、シンボルを送信することであって、前記ＯＦＤＭシンボルは、制御情報を搬送するように構成されたリソース要素の制御リソース集合、ＣＯＲＥＳＥＴ、（２１０、２２０、２３０）に含まれ、前記ＣＯＲＥＳＥＴ（２１０、２２０、２３０）は、ワイヤレス・デバイス（ＵＥ１、ＵＥ２、ＵＥ３）が前記ワイヤレス・デバイス（ＵＥ１、ＵＥ２、ＵＥ３）に関連する制御メッセージを検出するために少なくとも１つの特定の探索空間を監視できるようにする前記少なくとも１つの特定の探索空間におけるブラインド検出に影響するように構成された少なくとも１つの属性に関連付けられる、ことを有する、方法。
【請求項１４】
探索空間を監視できるようにするための無線アクセス・ネットワーク・ノード（ＢＳ）であって、前記無線アクセス・ネットワーク・ノードは、処理回路及び通信インタフェースを備え、前記処理回路は、前記無線アクセス・ネットワーク・ノードに、
ダウンリンク・スロット内で直交周波数分割多重化、ＯＦＤＭ、シンボルを送信することであって、前記ＯＦＤＭシンボルは、制御情報を搬送するように構成されたリソース要素の制御リソース集合、ＣＯＲＥＳＥＴ、（２１０、２２０、２３０）に含まれ、前記ＣＯＲＥＳＥＴ（２１０、２２０、２３０）は、ワイヤレス・デバイス（ＵＥ１、ＵＥ２、ＵＥ３）が前記ワイヤレス・デバイス（ＵＥ１、ＵＥ２、ＵＥ３）に関連する制御メッセージを検出するために少なくとも１つの特定の探索空間を監視できるようにする前記少なくとも１つの特定の探索空間におけるブラインド検出に影響するように構成された少なくとも１つの属性に関連付けられる、ことを行わせる、無線アクセス・ネットワーク・ノード（ＢＳ）。
【請求項１５】
探索空間を監視するための方法であって、監視する探索空間の取りうる集合は、相異なる集約レベルの探索空間を含み、前記方法は、ワイヤレス・デバイス（ＵＥ１、ＵＥ２、ＵＥ３）によって実行され、前記方法は、
ダウンリンク・スロット内で直交周波数分割多重化、ＯＦＤＭ、シンボルを受信すること（５１０）であって、前記ＯＦＤＭシンボルは、制御情報を搬送するように構成されたリソース要素の制御リソース集合、ＣＯＲＥＳＥＴ、（２１０、２２０、２３０）に含まれ、前記ＣＯＲＥＳＥＴ（２１０、２２０、２３０）は、前記ＣＯＲＥＳＥＴにおけるブラインド検出に影響する少なくとも１つの属性を有する、ことと、
前記ＣＯＲＥＳＥＴ（２１０、２２０、２３０）の前記少なくとも１つの属性のうちの少なくとも１つの第１属性（Ｐ）を識別すること（５２０）と、
前記ワイヤレス・デバイス（ＵＥ１、ＵＥ２、ＵＥ３）に関連する制御メッセージを検出するために１つの特定の探索空間を監視すること（５３０）であって、前記特定の探索空間は、集約レベルの分布を有し、前記ＣＯＲＥＳＥＴ（２１０、２２０、２３０）の前記識別された少なくとも１つの第１属性（Ｐ）に基づいて選択される、ことと、を有する方法。
【請求項１６】
請求項１５に記載の方法であって、
比較的高い集約レベルの探索空間に対して比較的大きな割合のブラインド検出試行を実行することと、
比較的低い集約レベルの探索空間に対して比較的小さな割合のブラインド検出試行を実行することと、を有する方法。
【請求項１７】
請求項１５に記載の方法であって、前記相異なる集約レベルの組成は、前記ＣＯＲＥＳＥＴ（２１０、２２０、２３０）の前記識別された第１属性（Ｐ）を表す、方法。
【請求項１８】
請求項１５乃至１７の何れか１項に記載の方法であって、前記ＣＯＲＥＳＥＴ（２１０、２２０、２３０）の前記少なくとも１つの属性は、少なくとも１つの第１値（Ｐ）又は前記第１値（Ｐ）とは異なる少なくとも１つの第２値を仮定してもよい変数によって表される、方法。
【請求項１９】
請求項１５乃至１８の何れか１項に記載の方法であって、前記ＣＯＲＥＳＥＴ（２１０、２２０、２３０）の前記少なくとも１つの属性は、物理ダウンリンク共有チャネル、ＰＤＳＣＨ、と、物理アップリンク共有チャネル、ＰＵＳＣＨ、とのうちの少なくとも１つの先頭位置及び末尾位置をそれぞれ指定する、方法。
【請求項２０】
請求項１５乃至１９の何れか１項に記載の方法であって、
前記ＣＯＲＥＳＥＴ（２１０、２２０、２３０）と前記探索空間とのうちの少なくとも１つに対して前記制御メッセージの位置を確立することと、
前記制御メッセージの前記確立された位置に基づいて、前記ワイヤレス・デバイス（ＵＥ１、ＵＥ２、ＵＥ３）に関連する前記制御メッセージ内の少なくとも１つのビットフィールドの長さを導出することと、をさらに有する方法。
【請求項２１】
請求項２０に記載の方法であって、
前記位置がスロットの先頭にあるように確立されるならば、前記制御メッセージ内の前記少なくとも１つのビットフィールドの少なくとも１つの長さを、比較的長くなるように導出することと、
前記位置が前記スロットの先頭にないように確立されるならば、前記制御メッセージ内の前記少なくとも１つのビットフィールドの少なくとも１つの長さを、比較的短くなるように導出することと、を有する方法。
【請求項２２】
請求項１５乃至２１の何れか１項に記載の方法であって、
前記ＣＯＲＥＳＥＴ（２１０、２２０、２３０）と前記探索空間とのうちの少なくとも１つに対して前記制御メッセージの位置を確立することと、
前記制御メッセージについて第１位置が確立されるならば、物理ダウンリンク共有チャネル、ＰＤＳＣＨ、を第１スロットにスケジューリングすることと、
前記制御メッセージについて前記第１位置とは異なる第２位置が確立されるならば、前記ＰＤＳＣＨを第２スロットにスケジューリングすることと、を有する方法。
【請求項２３】
請求項１５乃至２２の何れか１項に記載の方法であって、
前記ＣＯＲＥＳＥＴ（２１０、２２０、２３０）と前記探索空間とのうちの少なくとも１つに対して前記制御メッセージの位置を確立することと、
前記制御メッセージについて第１位置が確立されるならば、前記ワイヤレス・デバイスについて、第１仮定疑似共同位置と第１ビーム・ペア・リンクとのうちの少なくとも１つを決定することと、
前記制御メッセージについて前記第１位置とは異なる第２位置が確立されるならば、前記ワイヤレス・デバイスについて、第２仮定疑似共同位置と第２ビーム・ペア・リンクとのうちの少なくとも１つを決定することと、をさらに有する方法。
【請求項２４】
請求項１５乃至２３の何れか１項に記載の方法であって、
前記ＣＯＲＥＳＥＴ（２１０、２２０、２３０）と前記探索空間とのうちの少なくとも１つに対して前記制御メッセージの位置を確立することと、
前記制御メッセージが特定のＣＯＲＥＳＥＴ（２１０、２２０、２３０）及び／又は探索空間内に位置するように確立されるならば、その場合に限り、スケジューリング又はハイブリッド自動再送要求フィードバックのためにコンベンション・ベース許可手順を採用することと、をさらに有する方法。
【請求項２５】
探索空間を監視するためのワイヤレス・デバイス（ＵＥ１、ＵＥ２、ＵＥ３）であって、監視する探索空間の取りうる集合は、相異なる集約レベルの探索空間を含み、前記ワイヤレス・デバイスは、処理回路及び通信インタフェースを備え、前記処理回路は、前記ワイヤレス・デバイスに、
ダウンリンク・スロット内で直交周波数分割多重化、ＯＦＤＭ、シンボルを受信することであって、前記ＯＦＤＭシンボルは、制御情報を搬送するように構成されたリソース要素の制御リソース集合、ＣＯＲＥＳＥＴ、（２１０、２２０、２３０）に含まれ、前記ＣＯＲＥＳＥＴ（２１０、２２０、２３０）は、前記ＣＯＲＥＳＥＴにおけるブラインド検出に影響する少なくとも１つの属性を有する、ことと、
前記ＣＯＲＥＳＥＴ（２１０、２２０、２３０）の前記少なくとも１つの属性のうちの少なくとも１つの第１属性（Ｐ）を識別することと、
前記ワイヤレス・デバイスに関連する制御メッセージについて１つの特定の探索空間を監視することであって、前記特定の探索空間は、集約レベルの分布を有し、前記ＣＯＲＥＳＥＴ（２１０、２２０、２３０）の前記識別された少なくとも１つの第１属性（Ｐ）に基づいて選択される、ことと、を行わせるように構成される、ワイヤレス・デバイス（ＵＥ１、ＵＥ２、ＵＥ３）。
【国際調査報告】
2020520166.tif 000011
2020520166.tif 000012